(57)【要約】【課題】タッチパネルと一体に形成された表示装置に表示されたコンテンツに対し利用者がタッチ操作を行うことにより、コンテンツを任意の定型サイズに簡単に出力設定できることコンテンツ表示装置等を提供すること。【解決手段】タッチパネルと一体に形成された表示装置に、コンテンツを表示可能なコンテンツ表示装置において、表示されたコンテンツ上で、拡大・縮小操作を行うことにより、表示サイズを変更し、変更された表示サイズが、第１閾値に含まれた場合には、決定グリッドをコンテンツ上に重畳して表示する。決定グリッドが表示されている状態で、拡大・縮小操作が解除された場合には、決定グリッドに対応する定型サイズにコンテンツの出力サイズを設定することができる。【選択図】図６
2016057694.tif 000002
【特許請求の範囲】
【請求項１】
タッチパネルと一体に形成された表示装置に、コンテンツを表示可能なコンテンツ表示装置において、
表示されたコンテンツ上で、拡大・縮小操作を行うことにより、表示サイズを変更する表示サイズ変更手段と、
前記表示サイズが、第１閾値に含まれた場合には、決定グリッドをコンテンツ上に重畳して表示する決定グリッド表示手段と、
決定グリッドが表示されている状態で、拡大・縮小操作が解除された場合には、決定グリッドに対応する定型サイズにコンテンツの出力サイズを設定する出力サイズ設定手段と、
を備えることを特徴とするコンテンツ表示装置。
【請求項２】
前記表示サイズが、第１閾値より広い第２閾値に含まれた場合には、予報グリッドをコンテンツ上に更に重畳して表示する予報グリッド表示手段を更に備えることを特徴とする請求項１に記載のコンテンツ表示装置。
【請求項３】
前記決定グリッドと、前記予報グリッドは、択一的に表示されることを特徴とする請求項１又は２に記載のコンテンツ表示装置。
【請求項４】
定型サイズについて予め一又は複数記憶されており、
前記第１閾値は、定型サイズに対応づけて設定されていることを特徴とする請求項１から３の何れか一項に記載のコンテンツ表示装置。
【請求項５】
前記定型サイズは、一又は複数の定型サイズを含むことを特徴とする請求項１から４の何れか一項に記載のコンテンツ表示装置。
【請求項６】
タッチパネルと一体に形成された表示装置に、コンテンツを表示可能なコンテンツ表示装置におけるコンテンツ出力方法において、
表示されたコンテンツ上で、拡大・縮小操作を行うことにより、表示サイズを変更する表示サイズ変更ステップと、
前記表示サイズが、第１閾値に含まれた場合には、決定グリッドをコンテンツ上に重畳して表示する決定グリッド表示ステップと、
決定グリッドが表示されている状態で、拡大・縮小操作が解除された場合には、決定グリッドに対応する定型サイズにコンテンツの出力サイズを設定する出力サイズ設定ステップと、
前記出力サイズ設定ステップにより設定された出力サイズに基づいて、前記コンテンツを出力するコンテンツ出力ステップと、
を含むことを特徴とするコンテンツ出力方法。
【請求項７】
請求項６に記載のコンテンツ出力方法をコンピュータに実現させる為のプログラム。
【発明の詳細な説明】
【技術分野】
【０００１】
タッチパネルと一体に形成された表示装置に、コンテンツを表示可能なコンテンツ表示装置等に関する。
【背景技術】
【０００２】
従来、画像やドキュメント等のファイルを印刷する場合、印刷時の用紙サイズは規定のサイズを用いるか、印刷ダイアログなどの設定画面で任意の用紙サイズを設定する必要があった。これはあくまでサイズを設定するだけであり、実際に設定した用紙サイズではどの程度の大きさで印刷されるかといったことが視覚的にわからないという点があった。
【０００３】
そこで、スマートフォンやタブレットという携帯端末や、コンピュータといった情報機器だけでなく、大型の表示装置等にもタッチパネルを搭載したディスプレイが普及しつつある。このような装置においては、コンテンツを表示し、コンテンツ上で直接ピンチイン・ピンチアウトという操作によってコンテンツの大きさを変更する技術が知られている。
【０００４】
このような技術を用いることで、例えば、ピンチイン・ピンチアウト操作により拡大縮小を行うときに定型サイズを示す指標を表示するというものが開示されている（特許文献１参照）。
【先行技術文献】
【特許文献】
【０００５】
【特許文献１】特開２０１２−１２１１７９号公報
【発明の概要】
【発明が解決しようとする課題】
【０００６】
しかし、コンテンツを直感的に表示できるといっても、多くは表示を目的としているものが中心である。したがって、表示倍率を変更するものが大半であり、印刷する場合を想定しているものは少なかった。
【０００７】
上述した特許文献１では、定型サイズの指標は表示されるが、表示される指標はあくまで一回り大きいもしくは小さい定型サイズを表示するのみであり、二回り以上大きいもしくは小さい定型サイズに拡大・縮小する場合は、複数回のピンチイン・ピンチアウト操作が必要であった。
【０００８】
また、一定以上の速度もしくは加速度でピンチイン・ピンチアウト操作が必要なため、利用者が少しずつ調整しながら任意の定型サイズに拡大・縮小することができないといった課題もあった。
【０００９】
上述した課題に鑑み、本発明は、タッチパネルと一体に形成された表示装置に表示されたコンテンツに対し利用者がタッチ操作を行うことにより、コンテンツを任意の定型サイズに簡単に出力設定できることコンテンツ表示装置等を提供することである。
【課題を解決するための手段】
【００１０】
上述した課題に鑑み、本発明のコンテンツ表示装置は、
タッチパネルと一体に形成された表示装置に、コンテンツを表示可能なコンテンツ表示装置において、
表示されたコンテンツ上で、拡大・縮小操作を行うことにより、表示サイズを変更する表示サイズ変更手段と、
前記表示サイズが、第１閾値に含まれた場合には、決定グリッドをコンテンツ上に重畳して表示する決定グリッド表示手段と、
決定グリッドが表示されている状態で、拡大・縮小操作が解除された場合には、決定グリッドに対応する定型サイズにコンテンツの出力サイズを設定する出力サイズ設定手段と、
を備えることを特徴とする。
【００１１】
本発明のコンテンツ出力方法は、
タッチパネルと一体に形成された表示装置に、コンテンツを表示可能なコンテンツ表示装置におけるコンテンツ出力方法において、
表示されたコンテンツ上で、拡大・縮小操作を行うことにより、表示サイズを変更する表示サイズ変更ステップと、
前記表示サイズが、第１閾値に含まれた場合には、決定グリッドをコンテンツ上に重畳して表示する決定グリッド表示ステップと、
決定グリッドが表示されている状態で、拡大・縮小操作が解除された場合には、決定グリッドに対応する定型サイズにコンテンツの出力サイズを設定する出力サイズ設定ステップと、
前記出力サイズ設定ステップにより設定された出力サイズに基づいて、前記コンテンツを出力するコンテンツ出力ステップと、
を含むことを特徴とする。
【発明の効果】
【００１２】
本発明は、タッチディスプレイ上に表示されたコンテンツに対し拡大・縮小操作（ピンチイン・ピンチアウト操作）を行い、画像を拡大・縮小した場合、第１閾値に含まれた場合には、定型サイズを示す決定グリッドを表示し、更にそこでピンチイン・ピンチアウト操作をやめた場合には、コンテンツの出力サイズを、決定グリッドで表示された定型サイズに簡単に出力設定できることを特徴とする。
【図面の簡単な説明】
【００１３】
【図１】本明細書におけるシステム全体を示す外観図である。
【図２】第１実施形態における機能構成を説明するための図である。
【図３】第１実施形態における閾値管理テーブルのデータ構成の一例を示す図である。
【図４】第１実施形態における処理の流れを説明するフロー図である。
【図５】第１実施形態における処理の流れを説明するフロー図である。
【図６】第１実施形態における動作例を説明するための図である。
【図７】第１実施形態における動作例を説明するための図である。
【図８】第２実施形態における処理の流れを説明するフロー図である。
【図９】第２実施形態における動作例を説明するための図である。
【図１０】第３実施形態における処理の流れを説明するフロー図である。
【図１１】第３実施形態における動作例を説明するための図である。
【図１２】第４実施形態における処理の流れを説明するフロー図である。
【図１３】第４実施形態における動作例を説明するための図である。
【図１４】第５実施形態における閾値管理テーブルのデータ構成の一例を示す図である。
【図１５】第５実施形態における処理の流れを説明するフロー図である。
【図１６】第５実施形態における動作例を説明するための図である。
【発明を実施するための形態】
【００１４】
以下、図面を参照して本発明を実施するための最良の形態について説明する。なお、説明の都合上、実施形態を例に取って説明するが、表示操作が可能な装置であれば、何れの装置であっても適用可能なことは勿論である。
【００１５】
［１．第１実施形態］
［１．１  全体構成］
まず、本発明のコンテンツ表示装置を適用した表示装置１について説明する。図１に示す表示装置１は、表示装置に、操作装置が一体となった装置である。例えば、表示装置と操作装置とが一体となったタッチパネルにより構成されている。
【００１６】
［１．２  機能構成］
続いて、表示装置１の機能構成について、図２を用いて説明する。図２に示すように、表示装置１は、制御部１１０と、操作検出部１２０と、表示部１３０と、通信部１４０と、記憶部１６０とを備えて構成されている。
【００１７】
制御部１１０は、表示装置１の全体を制御するための機能部である。制御部１１０は、記憶部１６０に記憶されている各種プログラムを読み出して実行することにより各種機能を実現しており、例えばＣＰＵ（Central Process Unit）等により構成されている。
【００１８】
操作検出部１２０は、利用者からの操作を検出する機能部であり、表示部１３０は、コンテンツを表示するための機能部である。例えば、操作検出部１２０と、表示部１３０とは、一体に形成されたタッチパネルによって構成されている。タッチパネルは、好ましくは（投影型）静電容量方式や、超音波方式、赤外線方式といったマルチタッチが検出可能な方式を利用するが、抵抗膜方式や（表面型）静電容量方式等によっても実現可能である。
【００１９】
通信部１４０は、表示装置１が他の装置と通信を行う為の機能部である。例えば、ＷｉＦｉ（ＩＥＥＥ８０２．１１ａ／ｂ／ｇ／ｎ）や、３Ｇ／ＬＴＥ回線等が利用可能なＮＩＣ（Network Interface Card）により構成されている。例えば、通信部１４０を介して、本実施形態で表示されるコンテンツを受信する。
【００２０】
記憶部１６０は、表示装置１の動作に必要な各種プログラムや、各種データが記憶されている機能部である。記憶部１６０は、例えば、半導体メモリや、ＨＤＤ（Hard Disk Drive）等により構成されている。
【００２１】
ここで、記憶部１６０には、各種コンテンツを記憶するコンテンツ記憶領域１６２が確保されており、後述する閾値を管理する閾値管理テーブル１６４と、定型サイズ管理テーブル１６６とが記憶されている。
【００２２】
コンテンツ記憶領域１６２には各種コンテンツが記憶されている。記憶されるコンテンツは、例えば静止画データ、テキストデータ、ドキュメントデータ（例えばＰＤＦファイルや、文章ファイル、電子書籍等）、動画データといった、表示部１３０において表示可能なコンテンツが記憶されている。
【００２３】
そして、各コンテンツには、出力サイズが設定されている。出力サイズとしては、例えば、定型サイズである「Ａ４」や、「Ｂ５」といったサイズが設定可能である。そして、出力サイズに応じて、例えば印刷装置（プリンタ）により印刷されたり、ＰＤＦファイルとして出力されたり、電子書籍として出力されることとなる。
【００２４】
また、表示装置が等倍表示が可能であれば、出力サイズに応じた表示サイズに設定して表示することも可能である。また、他にも、出力方向（例えば、縦向き、横向き）等も設定可能である。
【００２５】
閾値管理テーブル１６４は、本実施形態の動作で用いる閾値が記憶されている。本実施形態では、決定グリッドを表示するときに利用する決定閾値（第１閾値）と、予報グリッドを表示するときに利用する予報閾値（第２閾値）という２つの閾値が記憶されている。
【００２６】
図３に、閾値管理テーブル１６４の構成例について説明する。閾値管理テーブルは、閾値の範囲がそれぞれ記憶されており。本実施形態では倍率（定型サイズの大きさの倍率）で記憶されている。
【００２７】
ここで、定型サイズは定型サイズ管理テーブル１６６に記憶されている。定型サイズ管理テーブル１６６は、例えば、「Ａ４」「Ａ３」「Ｂ５」といった定型サイズの大きさが記憶されている。この値は、予め初期値として記憶されていても良いし、利用者が設定することとしても良い。
【００２８】
そして、例えば、定型サイズが「Ａ４」の場合、Ａ４のサイズの０．９５から１．０５倍が決定閾値として算出される。また、Ａ４サイズの０．９から１．１倍が予報閾値として算出される。
【００２９】
また、定型サイズに基づいて画面の表示画素等を算出してもよい。すなわち、設定された定型サイズの「Ａ４」が、表示サイズでの画素数を算出する。これにより、決定閾値や予報閾値を設定してもよい。
【００３０】
［１．３  処理例］
続いて、第１実施形態における処理例について、図４を用いて説明する。まず、コンテンツが表示されている状態で、コンテンツ上にてピンチ操作が検出されると（ステップＳ１０２；Ｙｅｓ）、ピンチ操作に応じてコンテンツの表示サイズが変更される（ステップＳ１０４）。
【００３１】
すなわち、ピンチアウトすることで表示サイズが大きくなり（拡大され）、ピンチインすることで表示サイズが小さくなる（縮小される）。ここで、コンテンツの表示サイズが決定閾値内に入ったか否かを判定する（ステップＳ１０６）。
【００３２】
決定閾値は、閾値管理テーブル１６４に記憶されており、当該閾値管理テーブル１６４から読み出して算出される。そして、現在のコンテンツの表示サイズと比較する。すなわち、現在のコンテンツの表示サイズが、どの閾値に含まれるかを比較し、決定する。
【００３３】
ここで、表示サイズが決定閾値内に含まれた場合には（ステップＳ１０６；Ｙｅｓ）、決定グリッドとなる定型サイズを決定する（ステップＳ１０８）。そして、定型サイズに対応する決定グリッドが自動的に選択される。
【００３４】
具体的には、表示されているコンテンツの大きさ（例えば表示サイズ）と、各定型サイズから算出される閾値とを比較し決定する。すなわち、現在の表示サイズの大きさが、閾値管理テーブル１６４と、定型サイズ管理テーブル１６６とから算出される値から、どの定型サイズの範囲に含まれるか決定する。このとき、定型サイズは、Ａ４、Ｂ４といった用紙の大きさであっても良いし、写真で用いられるＬ判、２Ｌ判といったサイズでも良い。
【００３５】
また、閾値としても倍率であっても良いし、定型サイズ毎に直接表示サイズや、出力サイズ等が設定されていても良い。
【００３６】
ここで、決定グリッドとなる定型サイズが複数該当する場合には（ステップＳ１１０；Ｙｅｓ）、１番近いサイズを決定グリッドとして選択する（ステップＳ１１２）。これは、Ａ４と、Ｂ５といった大きさが離れている場合は問題ないが、例えばＡ４とレターサイズといった近い場合には効果がある。
【００３７】
そして、決定グリッドを画面上に表示する（ステップＳ１１４）。好ましくは、現在表示されている上に重畳して表示されることとなる。なお、本実施形態の場合は、予報グリッドが画面上に表示されている場合は、予報グリッドを消去して表示する。これにより、複数のグリッドが表示されないため、利用者が操作に不慣れな場合であっても、混乱しないという効果がある。
【００３８】
また、表示サイズが決定閾値内にはないが、予報閾値内に含まれている場合には（ステップＳ１０６；Ｎｏ→ステップＳ１１６；Ｙｅｓ）、予報グリッドを表示する（ステップＳ１１８）。なお、本実施形態では、予報グリッドを表示する場合には決定グリッドを表示しないこととする。また、表示サイズが決定閾値内にも、予報閾値内にも含まれていない場合は、通常の表示サイズでコンテンツのみが表示され、ピンチ操作に応じて表示サイズが変更される（ステップＳ１０６；Ｎｏ→ステップＳ１１６：Ｎｏ→ステップＳ１０４
）。
【００３９】
ピンチ操作が解除されると（ステップＳ１２０；Ｙｅｓ）、決定グリッドが表示されているか否かを確認する（図５のステップＳ１５２）。決定グリッドが表示されていれば、決定グリッドの定型サイズに自動でコンテンツの出力サイズを調整する（ステップＳ１５２；Ｙｅｓ→ステップＳ１５４）。そして、現在ピンチ操作を解除した位置にコンテンツの表示位置を調整する（ステップＳ１５８）。
【００４０】
他方、決定グリッドが表示されていない場合には、現在の表示サイズにコンテンツの出力サイズを調整する（ステップＳ１５６）。そして、現在ピンチ操作を解除した位置にコンテンツの表示位置を調整する（ステップＳ１５８）。
【００４１】
すなわち、決定グリッドが表示されている場合には、コンテンツの出力サイズが決定グリッドのサイズ（定型サイズ）に自動的に調整される。決定グリッドが表示されていない場合には、現在表示されている表示サイズがそのままコンテンツの表示サイズとなる。
【００４２】
すなわち、本実施形態では、ステップＳ１５４においてはコンテンツの画面での表示サイズを定型サイズにし、併せて出力サイズも定型サイズに設定する。ステップＳ１５６の場合には、定型サイズではないことから、表示サイズをピンチ操作をした表示状態で決定する。
【００４３】
なお、当然ステップＳ１５６においても出力サイズを併せて設定しても良い。この場合は定型サイズではないため、例えばコンテンツを出力する場合、プリンタの場合は一部印刷を行ったり、拡大縮小印刷を行ったりすることとなる。
【００４４】
［１．４  動作例］
続いて、本実施形態における動作例について説明する。図６（ａ）は、コンテンツが表示されており、ピンチアウト操作が行われている状態を示す図である。ピンチアウト操作が行われることにより、コンテンツは拡大表示されていく。そして、予報閾値内にコンテンツが含まれた場合に、予報グリッドＭ１０２が表示される。ここで、予報グリッドを示す（例えば、図６（ａ）であれば、このまま拡大すればＡ４サイズになることを示す）識別表示Ｍ１０４が行われている。
【００４５】
引き続きピンチアウト操作が行われることにより、表示サイズが決定閾値内に含まれた状態を示すのが図６（ｂ）である。決定閾値内に含まれた状態で、決定グリッドＭ１１２が表示されている。また、識別表示Ｍ１１４も決定グリッドとして利用者に解るように識別表示されている。
【００４６】
更に、図６では予報グリッドと、決定グリッドでは表示方式を変更している。例えば、本実施形態に示したように線種を変更しても良いが、例えば色や太さ等を変更することにより、利用者に直ぐにどちらのグリッドが識別できるようにしても良い。
【００４７】
この状態で、ピンチ操作を解除したのが図６（ｃ）である。表示サイズは、定型サイズに達していないが、決定グリッドが表示されていることから、決定グリッドのサイズにコンテンツのサイズが自動調整される。
【００４８】
図７は更にピンチアウト操作を継続した場合の動作例である。例えば、図７（ａ）の状態でピンチアウト操作をすることで、コンテンツの表示サイズが大きくなる。このとき、予報閾値に含まれると、予報グリッドＭ１２２が表示される。また、識別表示Ｍ１２４も行われている。
【００４９】
更に、ピンチアウト操作を継続すると、Ａ４の決定閾値に含まれることになるため、決定グリッドＭ１３２が表示されることとなる。また、決定グリッドと解るように、識別表示Ｍ１３４の色を変えることにより、利用者が識別しやすいようにしている。
【００５０】
更に、ピンチアウト操作を継続したのが図７（ｃ）、図７（ｄ）である。ピンチアウト操作を継続することによりコンテンツの表示サイズは決定グリッドＭ１３２より大きくなる。しかし、表示サイズが決定閾値内に含まれているので、決定グリッドＭ１３２が表示されている。
【００５１】
そして、表示サイズが大きくなると、決定閾値を超え、再び予報閾値内に含まれることになる。したがって、再度予報グリッドＭ１２２が表示されることとなる。
【００５２】
このままピンチアウト操作を継続すると、今度は新たな予報グリッドＭ１４２が表示される（図７（ｅ））。この予報グリッドは、次の予報閾値に含まれる領域であり、例えば
Ｂ４サイズの予報グリッドであることが、識別表示Ｍ１４４で示されている。
【００５３】
このように、本実施形態によれば、ピンチ操作により容易に表示されているコンテンツを出力する場合の大きさを容易に設定（調整）することができる。とくに、定型サイズに調整する場合には、利用者にどの大きさであれば定型サイズであることを表示できるとともに、適切に定型サイズにコンテンツの大きさを調整することが可能となる。利用者としては、コンテンツの拡大・縮小操作のとき、表示サイズを厳密に合わせなくても良いという効果もある。
【００５４】
また、単に出力設定だけでなく、表示サイズも合わせて容易に変更することが可能となり、利用者は表示出力も、印刷出力も同じ方法で設定出来るという効果がある。
【００５５】
［２．第２実施形態］
続いて、第２実施形態について説明する。第２実施形態は、第１実施形態は閾値（予報閾値・決定閾値）に応じて、予報グリッド、決定グリッドを自動的に表示していたが、ピンチ操作に併せて表示を制御する実施形態である。
【００５６】
第２実施形態は、第１実施形態における図４の処理を、図８に置き換えたものである。同一の処理には同一の符号を付してその説明を省略する。
【００５７】
第２実施形態は、ステップＳ１２２において、ピンチ操作の方向と予報閾値とを比較し、判定する。すなわち、予報閾値に含まれていたとしても、ピンチ操作の方向と一致しない場合には、予報グリッドを表示させない処理である。
【００５８】
例えば、ピンチアウト操作が行われているときは、表示サイズより大きなサイズの予報グリッドのみを表示する。また、ピンチイン操作が行われているときは、表示サイズより小さなサイズの予報グリッドのみを表示する。
【００５９】
具体的な動作を、図９を用いて説明する。ピンチアウト操作が行われており、表示サイズは拡大表示され続けている。ここで、表示サイズは決定グリッドＭ１３２を超えて表示されている（図９（ａ））。ここで、決定閾値内の場合は、定型サイズに調整したい場合が多いため、本実施形態では定型サイズを超えたとしても決定グリッドＭ１３２は表示されている。
【００６０】
そして、決定閾値を超えた場合、本来であれば一度予報閾値に含まれるため、予報グリッドが表示される（例えば、図７（ｄ））。しかし、本実施形態の場合、現在ピンチアウト操作が行われているため、Ａ４サイズの予報グリッドは表示されない（図９（ｂ））。
【００６１】
この段階で、ピンチイン操作が行われれば、予報グリッドＭ１２２が表示される（図９（ｃ））。これは、コンテンツの表示を小さくしていくため、小さい定型サイズの予報グリッドが表示される。なお、図９（ｂ）の状態でそのままピンチアウト操作を続けることにより、次のＢ４サイズの予報グリッドＭ１４２が表示される（図９（ｄ））。
【００６２】
このように、本実施形態によれば、ピンチ操作に基づいて予報グリッドの表示制御を行う事により、利用者の所望する動作を適切に行うことが可能となる。
【００６３】
［３．第３実施形態］
続いて第３実施形態について説明する。第３実施形態は、決定グリッドと、予報グリッドとが複数表示されたり、予報グリッドが複数表示されたりする実施形態について説明する。
【００６４】
第３実施形態は、第１実施形態における図４の処理を、図１０に置き換えたものである。ここで、同一の処理には同一の符号を付し、その他の機能構成等は第１実施形態と同じであるため、説明を省略する。
【００６５】
ピンチ操作によりコンテンツの表示サイズが変更され、表示サイズが決定閾値内の場合はステップＳ１０８〜ステップＳ３０２が実行される（ステップＳ１０６；Ｙｅｓ）。ここで、表示サイズが決定閾値内であれば、まずは決定グリッドが表示される（ステップＳ３０２）。
【００６６】
決定グリッドが表示された後、またはステップＳ１０６でＮｏと判定された後に、表示サイズが予報閾値内かを判定する（ステップＳ３０４）。ここで、表示サイズが予報閾値範囲内である場合には、予報閾値に含まれた予報グリッドを全て表示する（ステップＳ３０６）。また、ステップＳ３０２において、決定グリッドが表示されている場合は、決定グリッドはそのまま表示される。なお、同じ定型サイズの決定グリッドと、予報グリッドとを併せて表示してしまうと重畳して表示されてしまうため、この場合は決定グリッドを優先的に表示させている。
【００６７】
本実施形態における動作を説明する図が図１１である。図１１（ａ）は、ピンチアウト操作により、コンテンツの表示サイズを大きくしている図である。現在、決定グリッドＭ３０２が表示され、識別表示Ｍ３０４で「Ａ４」の定型サイズであることが表示されている。
【００６８】
また、このとき、併せて定型サイズ「Ｂ４」の予報閾値内であるとする。この場合、併せて、予報グリッドＭ３０６と、識別表示Ｍ３０８が表示されている。
【００６９】
また、図１１（ｂ）は、ピンチイン操作でコンテンツの表示サイズを小さくする場合である。この場合、Ａ４の予報グリッドＭ３１０と、Ｂ５の予報グリッドＭ３１２が表示されており、決定グリッドは表示されていない。
【００７０】
このように、本実施形態によれば、複数の予報グリッドを表示させたり、併せて決定グリッドを表示させることができるため、利用者は多くの定型サイズを認識して操作を行う事が可能となる。
【００７１】
［４．第４実施形態］
続いて、第４実施形態について説明する。第４実施形態は、操作をキャンセルする場合の処理について説明する。
【００７２】
すなわち、今までの実施形態（第１実施形態）における図５の処理を、図１２に置き換えた実施形態である。ここで、同一の処理には同一の符号を付し、その他の機能構成等は第１実施形態と同じであるため、説明を省略する。
【００７３】
すなわち、ステップＳ４５２にあるように、決定グリッドの表示中に決定グリッドキャンセル操作がなされた場合に（ステップＳ４５２；Ｙｅｓ）、決定グリッドが表示されていたにもかかわらず、現在の表示サイズにコンテンツのサイズが調整される。
【００７４】
図１３を用いて本実施形態の動作例について説明する。コンテンツ上でピンチアウト操作をすることにより、図１３（ａ）のようにコンテンツの表示サイズが予報閾値に含まれることにより予報グリッドが表示される。その後、図１３（ｂ）のように更にピンチアウト操作でコンテンツの表示サイズを大きくし、表示サイズが決定閾値に含まれる。これにより、表示画面には決定グリッドが表示されることとなる。
【００７５】
この状態で、キャンセル操作がされると、決定グリッドがキャンセルされる。例えば、図１３（ｃ）のように、ピンチアウトの指を一つ離し、指を一本でタッチする。こうすることで、ピンチイン操作が解除された事と併せ、決定グリッドのキャンセル操作がされたことになる。この状態で指を離すことにより、図１３（ｄ）のように、表示サイズでコンテンツの大きさが調整される。
【００７６】
なお、キャンセル操作としては、例えば指を三本タッチや、四本タッチといった複数本タッチにしても良いし、反対の指でタッチしたり、同じ位置での長押しをしたりと、ピンチ操作と異なる操作でキャンセル操作を行えば良い。
【００７７】
本実施形態によれば、例えば定型サイズ近傍のコンテンツサイズ表示したい場合に、キャンセル操作を利用者が行えば、任意の大きさでコンテンツを表示できるといった効果がある。
【００７８】
また、更にコンテンツにおける出力設定を行わないということも可能である。すなわち、例えばＢ４で決定グリッドが表示されているにも関わらずキャンセルすることにより、画面での表示サイズはＢ４だが、印刷等コンテンツを出力するときはＡ４と設定しておくということも実現可能である。
【００７９】
［５．第５実施形態］
続いて第５実施形態について説明する。上述した実施形態は、コンテンツサイズについて説明したが、例えば回転操作（用紙の縦、横の切り替え）に利用しても良い。これにより、出力サイズだけでなく、出力向きの設定も可能となる。
【００８０】
この場合、閾値管理テーブル１６４において、図１４に示すように角度を記憶させておく。例えば、コンテンツの回転を８５度〜９５度の範囲の場合は決定グリッドが表示され、８０度〜１００度の範囲の場合は予報グリッドが表示される。
【００８１】
本実施形態の処理について、図１５を用いて説明する。第５実施形態は、上述した実施形態と機能構成は同一である。なお、図１５以降の処理は、図５の処理を実行すれば良い。
【００８２】
まず、回転操作を検出すると（ステップＳ５０２；Ｙｅｓ）、回転操作に応じてコンテンツの表示画像を回転する（ステップＳ５０４）。ここで、コンテンツの表示角度が決定閾値内であれば、決定グリッドを表示する（ステップＳ５０６；Ｙｅｓ→ステップＳ５０８）。他方、表示角度が決定閾値内ではないが、予報閾値内の場合には（ステップＳ５０６；Ｎｏ→ステップＳ５１０；Ｙｅｓ）、予報グリッドを表示する（ステップＳ５１２）。ピンチ操作が解除されたら（ステップＳ５１４；Ｙｅｓ）、図５のステップＳ１５２に処理を遷移させる。
【００８３】
本実施形態の動作例を図１６に示す。まず、図１６（ａ）に示すように表示されたコンテンツ上で回転操作を行う。例えば、右回転をすることにより、横サイズの予報グリッドＭ５０２が表示される（図１６（ｂ））。更に回転をすることにより、横サイズの決定グリッドＭ５０４が表示される（図１６（ｃ））。このとき、回転操作を解除することにより、決定グリッドの位置に、コンテンツが表示される。すなわち、コンテンツが縦向きから右９０度回転した横向きのコンテンツとなる。
【００８４】
このように、本実施形態によれば、出力サイズだけではなく、コンテンツの出力向きについても、利用者の操作に基づいて容易に設定することができる。
【００８５】
上述した実施形態によれば、利用者の簡易な操作で、出力サイズ、出力向きといったコンテンツの出力設定をタッチ操作で容易に設定することが可能である。これにより、例えばタブレット端末といった入力手段がタッチ入力が中心の場合であっても容易に設定を行えるという効果が期待出来る。
【００８６】
とくに、従前の出力設定は、マウスやキーボードを前提としてＵＩが設計されているものも多かった。そのようなＵＩの場合は、画面のボタン等が小さいといった問題点があり、設定しにくいといった課題があった。その点、上述した実施形態では解消されている。
【００８７】
また、従前では画面上で表示する表示サイズと、印刷装置に印刷（出力）する出力サイズとを併せて設定したり、別途設定することが難しかった。その点が容易に設定することが可能となった。
【００８８】
［６．変形例］
以上、この発明の実施形態について図面を参照して詳述してきたが、具体的な構成はこの実施形態に限られるものではなく、この発明の要旨を逸脱しない範囲の設計等も特許請求の範囲に含まれる。
【００８９】
また、上述した実施形態ではコンテンツのサイズを変更することとしたが、印刷時の設定を変更するという構成としても良い事は勿論である。すなわち、Ａ４サイズが選択された場合は、印刷設定（出力設定）をＡ４として印刷をすれば良い。
【００９０】
また、実施形態において各装置で動作するプログラムは、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ）に蓄積され、その後、各種ＲＯＭやＨＤＤの記憶装置に格納され、必要に応じてＣＰＵによって読み出し、修正・書き込みが行なわれる。
【００９１】
ここで、プログラムを格納する記録媒体としては、半導体媒体（例えば、ＲＯＭや、不揮発性のメモリカード等）、光記録媒体・光磁気記録媒体（例えば、ＤＶＤ（Digital Versatile Disc）、ＭＯ（Magneto Optical Disc）、ＭＤ（Mini Disc）、ＣＤ（Compact Disc）、ＢＤ等）、磁気記録媒体（例えば、磁気テープ、フレキシブルディスク等）等の何れであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【００９２】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【００９３】
また、上述した実施形態における各装置の一部又は全部を典型的には集積回路であるＬＳＩ（Large Scale Integration）として実現してもよい。各装置の各機能ブロックは個別にチップ化してもよいし、一部又は全部を集積してチップ化してもよい。また、集積回路化の手法はＬＳＩに限らず専用回路又は汎用プロセッサで実現しても良い。また、半導体技術の進歩によりＬＳＩに代替する集積回路化の技術が出現した場合、当該技術による集積回路を用いることも可能であることは勿論である。
【符号の説明】
【００９４】
１  表示装置
１１０  制御部
１２０  操作検出部
１３０  表示部
１４０  通信部
１６０  記憶部
１６２  コンテンツ記憶領域
１６４  閾値管理テーブル
１６６  定型サイズ管理テーブル
【図１】
2016057694.tif 000003
【図２】
2016057694.tif 000004
【図３】
2016057694.tif 000005
【図４】
2016057694.tif 000006
【図５】
2016057694.tif 000007
【図６】
2016057694.tif 000008
【図７】
2016057694.tif 000009
【図８】
2016057694.tif 000010
【図９】
2016057694.tif 000011
【図１０】
2016057694.tif 000012
【図１１】
2016057694.tif 000013
【図１２】
2016057694.tif 000014
【図１３】
2016057694.tif 000015
【図１４】
2016057694.tif 000016
【図１５】
2016057694.tif 000017
【図１６】
2016057694.tif 000018